(57)【要約】【課題】窃盗行為に伴う破断や破壊行為に対して確実に警報が作動し、操作が容易、かつ、確実で、小型、かつ、経済的な警報機能付錠を提供することにある。【解決手段】Ｕ字アーム７と錠本体４の間に設けられた電気的接点を経由して、施錠・解錠動作に連動する第１のスイッチ１２と、Ｕ字アームと錠本体それぞれにに沿って配置された導線１３及び１８と、電源装置１６とを直列に結んで構成される第１の電気回路と、その第１の電気回路の通電状態により開閉する第２のスイッチ２０と、第１のスイッチ１２と、電源装置１６と、警報装置２１とを直列に結んで構成される第２の電気回路を有し、施錠時に、第１のスイッチ１２が閉となって第１の電気回路に通電し、その通電により第２のスイッチ２０が開となって第２の電気回路が非通電となり、解錠時に、第１のスイッチ１２が開となって両電気回路が非通電になることを特徴とする警報機能付錠。【選択図】        図１
2004183299.tif 000002
【特許請求の範囲】
【請求項１】
施錠部を有する錠本体と、窃盗の対象物を緊締あるいは固縛する部分であって施錠により該錠本体に端部を固定されるループ状部分とからなる錠であって、
該ループ状部分が該錠本体に固定されたときに両者が接する部分に設けられた電気的に接続する接点を経由して、該施錠部の施錠・解錠動作に連動する第１のスイッチと、該ループ状部分に沿って外部から見えないように配置された導線と、該錠本体の中に設けられた電源装置とを直列に結んで構成される第１の電気回路と、
該第１の電気回路の通電状態により開閉する第２のスイッチと、該第１のスイッチと、該錠本体内に設けられた電源装置と警報装置とを直列に結んで構成される第２の電気回路を有し、
施錠したときに、該第１のスイッチが閉となって該第１の電気回路に通電し、その通電により該第２のスイッチが開となって該第２の電気回路が非通電となり、
解錠したときに、該第１のスイッチが開となって該第１及び第２の電気回路が非通電になることを特徴とする警報機能付錠。
【請求項２】
上記錠本体の外周に沿って外部から見えないように配置された導線をも直列に含んで、上記第１の電気回路を構成したことを特徴とする請求項１記載の警報機能付錠。
【請求項３】
上記ループ状部分がＵ字アーム、ワイヤー、チェーン、または、南京錠の掛け金であることを特徴とする請求項１または請求項２記載の警報機能付錠。
【発明の詳細な説明】
【０００１】
【発明が属する技術分野】
本発明は、窃盗行為により切断されたときに警報を発する機能を有する錠に関するものである。
【０００２】
【従来の技術】
特許文献１及び特許文献２には、ワイヤー錠において、そのワイヤー部分を電気導体で構成して施錠時にそのワイヤー部分に通電しておき、窃盗行為によりワイヤー部分が切断され非通電となったことを検出して警報装置を作動させる警報機能付錠が示されている。
【０００３】
【特許文献１】
特開２００１−３４２７７１号公報
【特許文献２】
特開平０４−１４８４９１号公報
【０００４】
【発明が解決しようとする課題】
従来、盗難防止のためには、その対象物、例えばオートバイや自転車に、ワイヤー錠等を掛けて締結または固縛するのが一般的であったが、最近では窃盗者が強力な切断工具を持参してそのワイヤー部分を切断する事件が増えており、これを防止するためにワイヤー等の対象物を締結または固縛する部分を切断されたときに警報を鳴らす手段が考えられている。
その一例が、上に引用した特許文献である。
【０００５】
いずれの例も、施錠時に電気導体であるワイヤー部に電流を流しておき、ワイヤー部が切断されたときに非通電となるのを検知して、警報装置を含む電気回路を閉じるスイッチを設け、警報装置を作動させて警報を発している。
一方、このタイプの警報機能付錠では、解錠した状態でワイヤー部の少なくとも一端は錠本体からはずれるので、特許文献１の場合のように、単にワイヤー部を含む電気回路が通電状態にあるか否かで判断を行う構成であれば、解錠によりワイヤー部の通電が止まるとスイッチが働いて警報が鳴ることになる。
【０００６】
特許文献２の場合には、警報装置を含む電気回路の中に別のスイッチを設け、施錠後に毎回このスイッチを閉にして警報装置を含む電気回路を閉じて警報機能を発揮できる状態にし、解錠する前には毎回必ずこのスイッチを開にすることにより不要な警報を出さないようにしている。
すなわち、ワイヤー部の通電・非通電を検知して警報を鳴らす警報機能付錠では、解錠時の不必要な警報の作動を止めるためには、この様な別置きのスイッチの設置が不可欠になる。
しかし、この様な別置きのスイッチを設けると、施錠・解錠のたびに、本来のキー操作とは別にスイッチの操作が必要となるばかりでなく、施錠時には施錠をしてからスイッチを操作し、解錠時にはスイッチを操作してから解錠を行う必要があるため、施錠時と解錠時ではキー操作とスイッチ操作の順序が逆になって、操作が煩雑である。
しかも、スイッチ操作を忘れることによる警報機能の不作動の問題や、予期せぬ不要な警報の作動を嫌ってスイッチを常時開にしておいてせっかく備わった警報機能を活用しなくなると言う問題も生じる。これでは、せっかく警報機能が設けられていても切断行為に対して確実に警報が作動するとは言い切れない。
さらに、これらの錠では窃盗者がワイヤー部を避けて錠本体側を破壊して窃盗に及んだた場合には、確実に警報が作動するとは限らない。
【０００７】
したがって、本発明が解決しようとする課題は、窃盗行為に伴う破断や破壊行為に対して確実に警報が作動し、操作が容易、かつ、確実で、小型、かつ、経済的な警報機能付錠を提供することにある。
【０００８】
【課題を解決するための手段】
上記課題を解決するため、本発明は施錠・解錠のキー操作と警報装置を含む電気回路のスイッチの開閉操作を一体化することにより、警報が確実に作動すると共に、操作が容易、かつ、確実な警報機能付錠、すなわち；−
施錠部を有する錠本体と、窃盗の対象物を緊締あるいは固縛する部分であって施錠によりその錠本体に端部を固定されるループ状部分とからなる錠であって、
そのループ状部分が錠本体に固定されたときに両者が接する部分に設けられた電気的に接続する接点を経由して、施錠部の施錠・解錠動作に連動する第１のスイッチと、ループ状部分に沿って外部から見えないように配置された導線と、錠本体の中に設けられた電源装置とを直列に結んで構成される第１の電気回路と、
第１の電気回路の通電状態により開閉する第２のスイッチと、上記の第１のスイッチと、錠本体内に設けられた電源装置と警報装置とを直列に結んで構成される第２の電気回路を有し、
施錠したときに、第１のスイッチが閉となって第１の電気回路に通電し、その通電により第２のスイッチが開となって第２の電気回路が非通電となり、
解錠したときに、第１のスイッチが開となって第１及び第２の電気回路が非通電になることを特徴とする警報機能付錠である。
【０００９】
すなわち、錠本体部分に比べて細いので切断が容易そうに見え、かつ、切断工具が使いやすいループ状部分を窃盗者が切断行為の対象にしやすいので、その部分に沿って外部から見えないように導線を配置しておき、施錠時には常時通電状態にしておく。
この導線を含む第１の電気回路は、施錠部の施錠・解錠動作に連動して施錠時に閉・解錠時に開の動作を行う第１のスイッチと、錠本体内に設けられた電源装置、例えば電池を含み、ループ状部分の導線と錠本体側の導線はループ状部分が錠本体に固定されたときに両者が接する部分に設けられた電気的に接続する接点を経由して直列に結ばれている。
盗難防止の対象物に鍵を掛けるに当たって、ループ状部分の端部を錠本体に挿入すると、両者が接する部分に設けられたループ状部分と錠本体との電気的接点が互いに接触し、施錠が行われると、その施錠動作に連動して第１のスイッチは閉となり、第１の電気回路の通電が開始される。
【００１０】
一方、警報装置を含む第２の電気回路は、電源装置、施錠部の施錠・解錠動作に連動して作動する上記の第１のスイッチ、及び、第１の電気回路の通電時に開で、第１の電気回路の非通電時に閉となる第２のスイッチ、を直列に結んで構成されている。
施錠をしている正常な状態では、第１のスイッチは閉の状態であり、第２のスイッチは第１の電気回路の通電により開の状態にあるから、第２の電気回路には通電せず、警報装置は作動しない。
窃盗者がループ状部分を切断すると、それに沿って外部から見えないように配置された導線も切断され、第１の電気回路は非通電になる。それに伴い第２の電気スイッチは閉となり、直列に設けられている第１のスイッチは閉状態のままであるから、第２の電気回路に通電され、警報装置が作動する。
【００１１】
窃盗事件等が起こらず、なにごともなく解錠するときには、鍵を操作して解錠する。解錠動作に連動して第１のスイッチが開となるから、第１の電気回路のは非通電となり、第２のスイッチは閉となるが、第２の電気回路には第１のスイッチが直列に入っているので、通電することはなく、警報装置は作動しない。
【００１２】
すなわち、本発明の構成を取ることにより、施錠・解錠の操作をする者は、警報機能が無い錠を用いているときとまったく同様に、単に施錠・解錠操作をすれば良く、別置きのスイッチを操作順序を間違えないように気を遣いながら、別途操作すると言った煩わしさが一切なくなる。
したがって、単に施錠・解錠の操作が容易で、かつ、確実であるだけでなく、別置きのスイッチ操作を忘れることによる警報装置の不作動の問題や、予期せぬ不要な警報の作動を嫌って別置きスイッチを常時開にしておき、せっかく備わっている警報機能を活用しなくなると言う問題が解消し、窃盗の伴う切断行為に対し確実に警報が作動することとなる。
【００１３】
なお、第２のスイッチとしてはマグネットスイッチやリレースイッチ等各種の汎用スイッチを利用することができる。
また、第１のスイッチは鍵の作動タイプに合わせて、例えば、鍵を施錠部に差し込み回転して施錠・解錠を行うものでは、回転運動により作動接片が動くタイプの小型スイッチ、例えば、オートバイのメインスイッチとして使われているような、比較的汎用性のあるものを利用することができる。
ここで、第１及び第２の電気回路を第１のスイッチの部分で合流させて、施錠部の動きに連動する一つの作動接片で両回路を開・閉しても良いし、両回路を電気的に独立させておき、施錠部の動きに二つの作動接片を連動させて両回路をそれぞれ一緒に開・閉しても良い。
ただし、後者の場合には、二つの作動接片のタイミングのずれにより不要な警報が作動せぬように、第１の電気回路が閉になった後に第２の電気回路が閉となり、第１の電気回路が開になる前に第２の電気回路が開になるようにタイミングを調整する必要がある。
なお、前者の場合には、両回路に用いられる電源装置を共有させることもできる。
これらを組み合わせることにより、部品点数も少なく、小型の汎用品が活用できるので、小型で、経済的な警報機能付錠を提供できる。
【００１４】
また、ループ状部分に沿って配置された導線は、ループ状部分を構成する強度部材に沿って直線的に配置しても良いし、その強度部材をぐるぐるコイル状に巻くように配置しても良い。導線が切断されれば、強度部材が未切断であっても警報は作動するので、強度部材をコイル状に取り巻くように導線を配置しておけば、切断にかかったときに先に導線が切断される可能性が大きくなるから、盗難防止のためにはより有効と考えられる。
なお、強度が十分ある導線であれば、導線自体でループ状部分の強度部材の役目を果たさせても良い。
いずれにしても、窃盗者がそこに導線があることに気づくと、切断方法に工夫をしたり、他の窃盗手段を考えることになろうから、導線が配置されていることが外部から見えないように樹脂被膜で覆う等の対策が必要である。
【００１５】
さらに、本発明は、錠本体の外周に沿って外部から見えないように配置された導線をも直列に含んで、上述の第１の電気回路を構成したことを特徴とする警報機能付錠である。
【００１６】
先に述べたように、ループ状部分に通電しておき、そこが切断されたときには非通電状態を検出して警報を出そうという発明や考案はいくつか開示されているので、窃盗者の中にはあえてこの部分には触れず、錠本体を破壊しようと図るものもあろう。
それに対しては、錠本体部分にもその外周に沿って外部から見えないように導線を配置しておき、ループ状部分沿って配置された導線と直列につないで第１の電気回路を構成することにより、錠本体を破壊しようとした場合にも警報装置を作動させ、警報を発することができる。
この構成を取ることにより、さらに一層窃盗に伴う切断行為や破壊行為に対して確実に警報が作動することになる。
なお、この場合も錠本体の外周をできるだけくまなく覆うように導線を配置しておき、その周囲を導線が配置されていることが外部から見えないように樹脂被膜で覆う等の対策が必要である。
【００１７】
また、本発明は、上述のループ状部分がＵ字アーム、ワイヤー、チェーン、または、南京錠の掛け金であることを特徴とする警報機能付錠である。
すなわち、ループ状部分がＵ字アームであるＵ字錠、ループ部分がワイヤーであるワイヤー錠、ループ部分がチェーンであるチェーン錠、または、ループ部分が掛け金である南京錠等、従来から盗難防止用に用いられる錠のいずれにも本発明が容易に適用できる。
【００１８】
なお、チェーン錠等では、従来のようにチェーンで対象物を固縛した後に、そのチェーンの両端を南京錠でつなぎ止める方式そのままでは、そこで用いられる南京錠とその掛け金の部分にしか本発明を適用できない。
そこで、その場合には、チェーンの少なくとも一端に錠本体に挿入して施錠により固定される端部を設け、チェーンに沿って外部から見えないように配置した導線をその端部に導き、その端部が錠本体に固定されたときに錠本体側と電気的に接続する接点を設けてやることにより、チェーン部分も含めて第１の電気回路を構成する。
この構成を取ることにより、チェーン部分も含めて窃盗者による破断に対し警報を作動させることができる。
また、この場合にチェーンに沿った導線が外部から見えないようにするには、チェーンと導線を覆う樹脂被膜のカバーを掛ける等の対策が必要になる。
【００１９】
【発明の実施の形態】
以下、本発明の実施の形態について図面を参照しながら説明をする。なお、本発明はかかる実施の形態に限定されず、本発明の範囲内でその具体的構造に種々の変更を加えて良いことは言うまでもない。
図１は、本発明の警報機能付錠の第１の実施例の施錠時の状態を示す説明図、図２は同実施例の施錠時に窃盗行為によりＵ字アーム部が破断されたときの状態を示す説明図、図３は同実施例の解錠時の状態を示す説明図、図４は同実施例を使用している状態を示す斜視図である。
また、図５は、本発明の警報機能付錠の第２の実施例の構成を示す説明図である。
なお、両実施例の説明において、同じ機能を果たす類似形状の部材については同じ符号を付すことにする。
【００２０】
【実施例１】
図１から図４は、本発明の警報機能付錠の第１の実施例であるＵ字錠１を示す。
なお、本発明の警報機能付錠を掛け金を有する南京錠に適用する場合に、その構成や作用は基本的には本実施例と同一である。
Ｕ字錠１は、施錠部３を有する錠本体４と、窃盗の対象物、、例えば、スクーター５の前輪部６を固縛して施錠により錠本体４に端部７ａ、７ｂが固定されるループ状部分であるＵ字アーム７とからなっている。
このＵ字アーム７が錠本体４に固定されたときのその両者が接触する部分、すなわち、端部７ａ、７ｂが錠本体４にはまりこむ部分に、Ｕ字アーム７側には接点８ａと８ｂ、錠本体４側には接点９ａと９ｂをそれぞれ設けてあり、Ｕ字アーム７を錠本体４に固定すると接点９ａと９ｂの弾性により、自ずと接点８ａと９ａ、接点８ｂと９ｂが電気的に接続するようになっている。
【００２１】
錠本体４の中には、解錠・施錠の動作に連動する第１のスイッチ１２を有する施錠部３と、電源装置である電池１６が設けられている。
一方、Ｕ字アーム７に沿ってらせん状に導線１３が配置され、それが外部から見えないように樹脂被膜１４で覆ってある。さらに本実施例では、錠本体４の外周にも外部から見えないように樹脂被膜１７により覆われた状態で、導線１８が錠本体４を取り巻くように配置されている。
導線１３、接点８ｂ及び９ｂ、導線１８、電池１６、第１のスイッチ１２の接点１２ａ、その作動接片１２ｂ、接点９ａ及び８ａ、と直列につないで第１の電気回路が構成されている。
なお、第１のスイッチ１２と接点９ａの間には、第２のスイッチであるマグネットスイッチ２０のマグネット２０ａが設けられている。
【００２２】
このマグネットスイッチ２０は第１の電気回路の通電により励磁されるマグネット２０ａと、マグネット２０ａの励磁により図１の矢印方向に吸い付けられる移動子２０ｂと、移動子２０ｂを同矢印と逆の方法に押し付ける弾性体２０ｃと、マグネット２０ａが非励磁になって移動子２０ｂが弾性体２０ｃの力により逆の方向に動かされたときに、移動子２０ｂを介して電気的に接続する接点２０ｄ、２０ｅからなっている。
この接点２０ｄから、電池１６、第１のスイッチ１２の接点１２ａ、その作動接片１２ｂ、錠本体４の中に設けられている警報装置であるブザー等２１、接点２０ｅを直列につないで第２の電気回路が構成されている。
【００２３】
図１及び図４は、実施例１の正常な施錠時の状態を示す。
スクーター５の前輪６を取り巻くようにＵ字アーム７を装着した後、Ｕ字アーム７の端部７ａ、７ｂを錠本体４に挿入する。
Ｕ字アーム７と錠本体４の外側は、それぞれ樹脂被膜１４、１７で覆われているので、外からはそれぞれを取り巻くように配置された導線１３、１８を見ることはできない。
【００２４】
このとき、施錠部３のラッチ３ａが矢印の方向に移動して、Ｕ字アーム７の端部７ａに設けられた切り欠き部７ｃに食い込み、Ｕ字アーム７を錠本体４にしっかりと固定すると共に、接点８ａと９ａ，８ｂと９ｂをそれぞれ確実に接触させる。
このとき、鍵１１は抜き去られた状態で、第１のスイッチ１２の作動接片１２ｂは接点１２ａに接触し、第１の電気回路は通電状態にある。
これに伴い、マグネット２０ａは励磁され、移動子２０ｂは弾性体２０ｃの力に反して吸い付けられて矢印の方向に動き、接点２０ｄと２０ｅの電気的接続は解かれて第２の電気回路には通電せず、ブザー２１は作動しない。
なお、第１の電気回路の通電によりマグネット２０ａが励磁され、移動子２０ｂが動いて接点２０ｄと２０ｅが確実に開となるまでの時間を考慮し、ブザー２１が作動するまでにわずかな時間遅れを与えるタイマーを設けることが有効である。
また、第１の電気回路には、マグネットスイッチ２０を作動させるに必要な電流以上の電流を流す必要はなく、あまり過大な電流を流すことは電池１６の寿命を短くする弊害もあることから、必要に応じて回路内に抵抗を挿入して電流を適正値に保つことが望ましい。
【００２５】
図２は、同実施例の施錠時に窃盗行為によりＵ字アーム部が破断されたときの状態を示す。
破断２３により導線１３が切断されると、第１のスイッチ１２の作動接片１２ｂが接点１２ａに接触したままの閉の状態であるにもかかわらず、第１の電気回路は閉となって非通電に変わる。
それに伴いマグネット２０ａは非励磁となり、移動子２０ｂは弾性体２０ｃの力により図２の矢印の方向に移動し、接点２０ｄと２０ｅは電気的に接続される。第１のスイッチ１２は作動接片１２ｂが接点１２ａに接触したままであるから、接点２０ｄと２０ｅの接続により第２の電気回路は閉となり、ブザー２１が作動する。
なお、以上の説明はＵ字アーム７が破断されたときを例に説明したが、アームが破断に至らなくても切断工具により導線１３のみが切断された場合も同様に作用して、ブザー２１が作動する。
また、導線１３の代わりに、錠本体４の外周を取り巻く導線１８が切断されたときも、同様に作用してブザー２１が作動する。
【００２６】
図３には、同実施例の解錠時の状態を示す。
鍵１１を鍵穴３ｂに挿入して回転させ、解錠操作を行う。
鍵１１の操作により、ラッチ３ａが矢印の方向に後退してＵ字アーム７の切り欠き部７ｃからはずれ解錠動作が行われる。それと共に、第１のスイッチ１２の作動接片１２ｂが接点１２ａから離れ、第１及び第２の電気回路を閉とする。
Ｕ字アーム７が錠本体４からはずれて、接点８ａと９ａ、接点８ｂと９ｂがそれぞれ電気的接続を解かれ、そのためにマグネット２０ａの励磁が解かれて第２の電気回路が閉となってブザー２１が作動する以前に、第１のスイッチ１２の作動により第２の電気回路が開となっているので、ブザー２１が作動することはない。
【００２７】
【実施例２】
図５には、本発明の警報機能付錠の第２の実施例であるチェーン錠２を示す。従来のチェーン錠は、チェーンで対象物を固縛した後に、そのチェーンの両端を南京錠等でつなぎ止める方式が一般的であった。
本発明の実施例のチェーン錠２では、対象物を固縛するチェーン２５に沿わせて導線２６を配置し、それが外部から見えないように樹脂被膜２７等で覆ってやる。さらに、チェーン２５の少なくとも片方に錠本体４に挿入して固定する円柱状に形成した端部２８を設け、その先端に接点８ａを、錠本体４側には接点８ａに電気的に接続する接点９ａを設ける。
端部２８を錠本体４に挿入して施錠をすると、ラッチ３ａが動き、端部２８に設けた切り欠き部２８ｃに噛み合ってチェーン２５は錠本体４に固定され、接点８ａと９ａは電気的に接続される。
【００２８】
チェーン２５の他端２９は、端部２８と同様な構成にしても良いし、図のように錠本体４と最初から一体化して、導線２６はそのまま錠本体４内の電気回路につないでも良い。
この構成を取ることにより、錠本体４の内部の構成は実施例１を準用することにより、チェーン部分の含めて第１の電気回路を構成することができ、窃盗者によるチェーン部分の切断を含めて警報を作動できる本発明の警報機能付錠が提供できる。
なお、ワイヤー錠の場合にも、ワイヤーと錠本体の接続部に端部２８と同様な構成を設けることにより、本発明の警報機能付錠が提供できる。
【００２９】
【発明の効果】
以上に述べた通り、本発明の警報機能付錠を採用することにより、施錠・解錠の操作をする者は、警報機能が無い錠を用いているときとまったく同様に、単に施錠・解錠操作をすれば良く、別置きのスイッチを操作順序を間違えないように気を遣いながら、別途操作すると言った煩わしさがない。
そのために、本発明の警報機能付錠は、単に施錠・解錠の操作が容易で、かつ、確実であるだけでなく、別置きのスイッチ操作を忘れることによる警報装置の不作動の問題や、予期せぬ不要な警報の作動を嫌って別置きスイッチを常時開にしておき、せっかく備わっている警報機能を活用しなくなると言う問題を解消し、窃盗の伴う切断行為に対し確実に警報を作動させることができる。
【００３０】
また、本発明の警報機能付錠は、錠本体部分の破壊に対しても警報を作動させることができるので、一層窃盗行為に対して確実に警報を作動させることができる。
さらに、本発明の警報機能付錠は、Ｕ字錠、ワイヤー錠、チェーン錠、そして、南京錠等、従来から使われてきた多くの種類の錠に適用が可能である。
【図面の簡単な説明】
【図１】本発明の警報機能付錠の第１の実施例の施錠時の状態を示す説明図である。
【図２】同実施例の施錠時に窃盗行為によりＵ字アーム部が破断されたときの状態を示す説明図である。
【図３】同実施例の解錠時の状態を示す説明図である。
【図４】同実施例を使用している状態を示す斜視図である。
【図５】本発明の警報機能付錠の第２の実施例の構成を示す説明図である。
【符号の説明】
１        Ｕ字錠（実施例１）
２        チェーン錠（実施例２）
３        施錠部
３ａ      ラッチ
３ｂ      鍵穴
４        錠本体
５        スクーター
６        同  前輪
７        Ｕ字アーム
７ａ、７ｂ      同  端部
７ｃ      切り欠き部
８ａ、８ｂ、９ａ、９ｂ  接点
１１        鍵
１２        第１のスイッチ
１２ａ      同  接点
１２ｂ      同  作動接片
１３、１８      導線
１４、１７      樹脂被膜
１６        電池
２０        マグネットスイッチ
２０ａ      マグネット
２０ｂ      移動子
２０ｃ      弾性体
２０ｄ、２０ｅ    接点
２１        ブザー
２５        チェーン
２６        導線
２７        樹脂被膜
２８、２９    チェーンの端部
２８ｃ      切り欠き部
【図１】
2004183299.tif 000003
【図２】
2004183299.tif 000004
【図３】
2004183299.tif 000005
【図４】
2004183299.tif 000006
【図５】
2004183299.tif 000007